(57)【特許請求の範囲】
【請求項１】
室内機、室外機およびリモコンから構成される空気調和機であって、
前記室内機が、室内機周辺の温度を検知する室内機温度センサ、を備え、
前記室外機が、室外機周辺の温度を検知する外気温センサ、を備え、
前記リモコンが、
リモコン周辺の温度を検知するリモコン温度センサと、
各温度センサの温度情報を記憶する温度情報記憶手段と、
前記温度情報記憶手段から前記リモコン温度センサで検知された温度と前記外気温センサで検知された温度を読み出し、当該リモコン温度センサで検知された温度と当該外気温センサで検知された温度が連動しているかどうかを判断する温度連動判断手段と、
前記温度連動判断手段の判断結果に基づいて、空調対象の空間の温度を検知する室内温度センサを前記リモコン温度センサまたは前記室内機温度センサとする室内温度センサ変更手段と、
を備え、
前記リモコンが、前記温度連動判断手段として、前記リモコン温度センサで検知された温度と前記外気温センサで検知された温度との温度差に基づいて、当該リモコン温度センサで検知された温度と当該外気温センサで検知された温度が連動しているかどうかを判断する温度差比較手段、を備える場合に、
前記温度差比較手段は、
前記リモコン温度センサで検知された温度と前記外気温センサで検知された温度との温度差が規定された閾値以内の状態を所定の時間継続した場合に、当該リモコン温度センサで検知された温度と当該外気温センサで検知された温度が連動していると判断し、
前記室内温度センサ変更手段は、
現在の室内温度センサが前記リモコン温度センサであって、前記温度差比較手段が連動していると判断した場合、当該リモコン温度センサを前記室内機温度センサに変更する、
ことを特徴とする空気調和機。
【請求項２】
室内機、室外機およびリモコンから構成される空気調和機であって、
前記室内機が、室内機周辺の温度を検知する室内機温度センサ、を備え、
前記室外機が、室外機周辺の温度を検知する外気温センサ、を備え、
前記リモコンが、
リモコン周辺の温度を検知するリモコン温度センサと、
各温度センサの温度情報を記憶する温度情報記憶手段と、
前記温度情報記憶手段から前記リモコン温度センサで検知された温度と前記外気温センサで検知された温度を読み出し、当該リモコン温度センサで検知された温度と当該外気温センサで検知された温度が連動しているかどうかを判断する温度連動判断手段と、
前記温度連動判断手段の判断結果に基づいて、空調対象の空間の温度を検知する室内温度センサを前記リモコン温度センサまたは前記室内機温度センサとする室内温度センサ変更手段と、
を備え、
前記リモコンが、前記温度連動判断手段として、前記リモコン温度センサで検知された温度と前記外気温センサで検知された温度との温度差に基づいて、当該リモコン温度センサで検知された温度と当該外気温センサで検知された温度が連動しているかどうかを判断する温度差比較手段、を備える場合に、
前記温度差比較手段は、
前記リモコン温度センサで検知された温度と前記外気温センサで検知された温度との温度差が、規定された閾値以内の状態が規定された期間内において所定の時間に達した場合に、当該リモコン温度センサで検知された温度と当該外気温センサで検知された温度が連動していると判断し、
前記室内温度センサ変更手段は、
現在の室内温度センサが前記リモコン温度センサであって、前記温度差比較手段が連動していると判断した場合、当該リモコン温度センサを前記室内機温度センサに変更する、
ことを特徴とする空気調和機。
【請求項３】
前記リモコンが、前記温度連動判断手段として、前記リモコン温度センサで検知された温度の温度変化と前記外気温センサで検知された温度の温度変化に基づいて、当該リモコン温度センサで検知された温度と当該外気温センサで検知された温度が連動しているかどうかを判断する温度変化比較手段、を備える場合に、
前記温度変化比較手段は、
前記リモコン温度センサで検知された温度の温度変化と前記外気温センサで検知された温度の温度変化が同じ傾向である場合に、当該リモコン温度センサで検知された温度と当該外気温センサで検知された温度が連動していると判断し、
前記室内温度センサ変更手段は、
現在の室内温度センサが前記リモコン温度センサであって、前記温度差比較手段が連動していると判断した場合、当該リモコン温度センサを前記室内機温度センサに変更する、
ことを特徴とする請求項１または２に記載の空気調和機。
【請求項４】
室内機、室外機およびリモコンから構成される空気調和機の空調制御方法であって、
前記室内機が室内機周辺の温度を検知する室内機温度センサを備え、前記室外機が室外機周辺の温度を検知する外気温センサを備え、前記リモコンがリモコン周辺の温度を検知するリモコン温度センサを備える場合に、
前記リモコン温度センサで検知された温度と前記外気温センサで検知された温度の情報を取得する温度情報取得ステップと、
前記リモコン温度センサで検知された温度と前記外気温センサで検知された温度が連動しているかどうかを判断する温度連動判断ステップと、
前記温度連動判断ステップにおける判断結果に基づいて、空調対象の空間の温度を検知する室内温度センサを前記リモコン温度センサまたは前記室内機温度センサとする室内温度センサ変更ステップと、
を含み、
前記温度連動判断ステップでは、
前記リモコン温度センサで検知された温度と前記外気温センサで検知された温度との温度差が規定された閾値以内の状態を所定の時間継続した場合に、当該リモコン温度センサで検知された温度と当該外気温センサで検知された温度が連動していると判断し、
前記室内温度センサ変更ステップでは、
現在の室内温度センサが前記リモコン温度センサであって、前記温度差比較手段が連動していると判断した場合、当該リモコン温度センサを前記室内機温度センサに変更する、
ことを特徴とする空調制御方法。
【請求項５】
室内機、室外機およびリモコンから構成される空気調和機の空調制御方法であって、
前記室内機が室内機周辺の温度を検知する室内機温度センサを備え、前記室外機が室外機周辺の温度を検知する外気温センサを備え、前記リモコンがリモコン周辺の温度を検知するリモコン温度センサを備える場合に、
前記リモコン温度センサで検知された温度と前記外気温センサで検知された温度の情報を取得する温度情報取得ステップと、
前記リモコン温度センサで検知された温度と前記外気温センサで検知された温度が連動しているかどうかを判断する温度連動判断ステップと、
前記温度連動判断ステップにおける判断結果に基づいて、空調対象の空間の温度を検知する室内温度センサを前記リモコン温度センサまたは前記室内機温度センサとする室内温度センサ変更ステップと、
を含み、
前記温度連動判断ステップでは、
前記リモコン温度センサで検知された温度と前記外気温センサで検知された温度との温度差が、規定された閾値以内の状態が規定された期間内において所定の時間に達した場合に、当該リモコン温度センサで検知された温度と当該外気温センサで検知された温度が連動していると判断し、
前記室内温度センサ変更ステップでは、
現在の室内温度センサが前記リモコン温度センサであって、前記温度差比較手段が連動していると判断した場合、当該リモコン温度センサを前記室内機温度センサに変更する、
ことを特徴とする空調制御方法。
【請求項６】
室内機、室外機およびリモコンから構成される空気調和機の空調制御方法であって、
前記室内機が室内機周辺の温度を検知する室内機温度センサを備え、前記室外機が室外機周辺の温度を検知する外気温センサを備え、前記リモコンがリモコン周辺の温度を検知するリモコン温度センサを備える場合に、
前記リモコン温度センサで検知された温度と前記外気温センサで検知された温度の情報を取得する温度情報取得ステップと、
前記リモコン温度センサで検知された温度と前記外気温センサで検知された温度が連動しているかどうかを判断する温度連動判断ステップと、
前記温度連動判断ステップにおける判断結果に基づいて、空調対象の空間の温度を検知する室内温度センサを前記リモコン温度センサまたは前記室内機温度センサとする室内温度センサ変更ステップと、
を含み、
前記温度連動判断ステップでは、
前記リモコン温度センサで検知された温度の温度変化と前記外気温センサで検知された温度の温度変化が同じ傾向である場合に、当該リモコン温度センサで検知された温度と当該外気温センサで検知された温度が連動していると判断し、
前記室内温度センサ変更ステップでは、
現在の室内温度センサが前記リモコン温度センサであって、前記温度差比較手段が連動していると判断した場合、当該リモコン温度センサを前記室内機温度センサに変更する、
ことを特徴とする空調制御方法。
【発明の詳細な説明】
【技術分野】
【０００１】
本発明は、複数の温度センサを備えた空気調和機に関する。
【背景技術】
【０００２】
従来、空気調和機では、リモコン内蔵の温度センサ、室内機内蔵の温度センサ、室外機内蔵の温度センサ等、複数の温度センサを備え、それぞれの温度センサで検知された温度に基づいて空調制御が行われている。
【０００３】
例えば、下記特許文献１では、リモコン内蔵の温度センサ（リモコン温度センサ）、室内機内蔵の温度センサ（室内機温度センサ）および室外機内蔵の温度センサ（外気温センサ）を備え、外気温センサの値がある温度（例えば６℃）以上の場合はリモコン温度センサを空調対象の空間の温度として用い、ある温度以下の場合は室内機温度センサを空調対象の空間の温度として用いる技術が開示されている。
【０００４】
リモコン温度センサを空調対象の空間の温度として用いる場合、室内機温度センサの温度がリモコン温度センサの温度よりも高いと、空気調和機では、より暖める必要があると判断して運転を継続するが高圧カットで運転が停止してしまう。また、室内機温度センサを空調対象の空間の温度として用いる場合、室内の温度分布が悪い、または室内機が天井高く取り付けられたとき等、利用者の周囲の温度と検知された空気温度との間に差が生じると、利用者に冷風感を与えるだけでなく快適な温調ができない。下記特許文献１では、利用者の周囲の温度をできるだけ正確に検知し、高圧カットによる空気調和機の運転の強制停止を防止し、より快適で信頼性の高い空調制御を行うことができる。
【０００５】
また、下記特許文献２では、リモコンを取り付けた部屋の内壁に取り付けられた温度センサ（リモコン壁センサ）、リモコンの表面（部屋側）近傍の温度センサ（リモコン表面センサ）および外気温センサを備え、リモコン表面センサの温度とリモコン壁センサの温度とを比較して、リモコン表面センサが外気温の影響を受けているかどうかを判断した結果に従って、３つの温度センサの温度に基づいて空調対象の空間の温度を決定し、空調制御を行う技術が開示されている。
【０００６】
下記特許文献２において、リモコン壁センサは、外気温の影響を受け、正確に部屋の温度を検出することが困難であることから、空調すべき部屋内の温度を的確に検出することで、快適性および空調効率の向上を図った空調制御ができる。
【先行技術文献】
【特許文献】
【０００７】
【特許文献１】特開平２−１９７７４５号公報
【特許文献２】特開平４−９５３６号公報
【発明の概要】
【発明が解決しようとする課題】
【０００８】
しかしながら、上記従来の技術（特許文献１）によれば、外気温と閾値との比較によって室内の空調対象の温度センサを切り替えているが、このときの室内（リモコン温度センサ、室内機温度センサ）の温度は考慮されていない。そのため、快適な空調制御状態のときに空調対象の温度センサが切り替えられる可能性がある、という問題があった。
【０００９】
また、上記従来の技術（特許文献２）によれば、リモコン表面センサでは、リモコンを介した伝熱によってリモコン壁センサとの間で温度差が生じない、または伝熱によって外気温の影響を受けてしまう可能性がある。そのため、２つのセンサの温度差が本来想定している温度差よりも小さくなると考えられる、という問題があった。
【００１０】
本発明は、上記に鑑みてなされたものであって、高精度に外気温の影響を把握することが可能な空気調和機を得ることを目的とする。
【課題を解決するための手段】
【００１１】
上述した課題を解決し、目的を達成するために、本発明は、室内機、室外機およびリモコンから構成される空気調和機であって、前記室内機が、室内機周辺の温度を検知する室内機温度センサ、を備え、前記室外機が、室外機周辺の温度を検知する外気温センサ、を備え、前記リモコンが、リモコン周辺の温度を検知するリモコン温度センサと、各温度センサの温度情報を記憶する温度情報記憶手段と、前記温度情報記憶手段から前記リモコン温度センサで検知された温度と前記外気温センサで検知された温度を読み出し、当該リモコン温度センサで検知された温度と当該外気温センサで検知された温度が連動しているかどうかを判断する温度連動判断手段と、前記温度連動判断手段の判断結果に基づいて、空調対象の空間の温度を検知する室内温度センサを前記リモコン温度センサまたは前記室内機温度センサとする室内温度センサ変更手段と、を備えることを特徴とする。
【発明の効果】
【００１２】
本発明によれば、高精度に外気温の影響を把握することができる、という効果を奏する。
【図面の簡単な説明】
【００１３】
【図１】図１は、空気調和機の各構成の配置を示す図である。
【図２】図２は、空気調和機の構成例を示す図である。
【図３】図３は、温度情報記憶部が記憶する温度情報を示す図である。
【図４】図４は、温度センサを変更する動作を示すフローチャートである。
【図５】図５は、リモコン温度センサの温度と外気温センサの温度が連動している状態を示す図である。
【図６】図６は、温度センサを変更する動作を示すフローチャートである。
【図７】図７は、リモコン温度センサの温度と外気温センサの温度が連動している状態を示す図である。
【発明を実施するための形態】
【００１４】
以下に、本発明にかかる空気調和機の実施の形態を図面に基づいて詳細に説明する。なお、この実施の形態によりこの発明が限定されるものではない。
【００１５】
実施の形態１．
まず、本実施の形態の空気調和機の配置について説明する。図１は、空気調和機の各構成の配置を示す図である。空気調和機は、リモコン１と、室内機２と、室外機３と、から構成される。空気調和機は、室内４を空調対象の空間としている。リモコン１は、室内機２および室外機３の運転を制御する制御部や温度センサを備えており、ここでは、図１に示すように室内４の壁面に取り付けられているものとする。室内機２は、空調対象の空間の室内４に設置されており、温度センサを備える。室外機３は、空調対象の空間の室内４の外に設置されており、温度センサを備える。
【００１６】
一般的に、空気調和機は、運転開始待ちの状態になっている。システムとしては起動しており、ユーザーがリモコン１の操作部１１で運転開始ボタンを押下するか、予め登録されたスケジュール運転の情報に基づいて運転が開始されるようになっている。
【００１７】
つぎに、空気調和機の各構成について説明する。図２は、空気調和機の構成例を示す図である。リモコン１は、操作部１１と、リモコン温度センサ１２と、室内温度センサ変更部１３と、空調対象温度センサ記憶部１４と、温度変化比較部１５と、温度情報記憶部１６と、温度差比較部１７と、温度差閾値記憶部１８と、閾値範囲時間記憶部１９と、を備える。
【００１８】
操作部１１は、ユーザーからの運転開始等の操作を受け付ける。リモコン温度センサ１２は、リモコン１に設置された温度センサであり、リモコン１周辺の温度を検知する。室内温度センサ変更部１３は、空調対象温度センサ記憶部１４に記憶されている空調対象の空間の温度を検知する温度センサを変更する。ユーザーが操作部１１を操作することによって、空調対象温度センサ記憶部１４が予め記憶している使用する温度センサの情報を変更する。空調対象温度センサ記憶部１４は、空調対象の空間で使用する温度センサの情報を記憶する。温度変化比較部１５は、リモコン温度センサ１２が外気温に連動しているかどうかを判断する温度連動判断手段である。温度情報記憶部１６は、各温度センサで検出した温度の情報を記憶する。温度差比較部１７は、リモコン温度センサ１２が外気温に連動しているかどうかを判断する温度連動判断手段である。温度差閾値記憶部１８は、温度差比較部１７においてリモコン温度センサ１２が外気温に連動しているかどうかを判断する際に用いる温度差の閾値を記憶する。閾値範囲時間記憶部１９は、温度差比較部１７においてリモコン温度センサ１２が外気温に連動しているかどうかを判断する際に用いる期間の情報を記憶する。
【００１９】
室内機２は、室内機温度センサ２１、を備える。室内機温度センサ２１は、室内機２周辺の温度を検出し、検出した温度を温度情報記憶部１６へ通知する。室外機３は、外気温センサ３１、を備える。外気温センサ３１は、室外機３周辺の外気温を検出し、検出した温度を温度情報記憶部１６へ通知する。
【００２０】
ここで、温度情報記憶部１６における各温度センサからの温度情報の記憶方法について説明する。図３は、温度情報記憶部１６が記憶する温度情報を示す図である。ここでは、リモコン温度センサ１２、室内機温度センサ２１、および外気温センサ３１のそれぞれから定期的に検出した温度の通知を受けて、時間ごとに表形式にして記録した状態を示す。これにより、温度情報記憶部１６では、各時間における各温度センサにおける温度の状態を把握することができる。なお、図３では５分毎に温度を記憶しているが、一例であり、これに限定するものではない。
【００２１】
つづいて、空気調和機において、空調対象の空間（室内４）における温度センサを変更する動作について説明する。ここでは、リモコン温度センサ１２が空調対象の空間の温度センサとして予め選択されている場合の動作について説明する。図４は、空調対象の空間の温度センサを変更する動作を示すフローチャートである。
【００２２】
まず、リモコン１では、温度情報記憶部１６が、リモコン温度センサ１２および外気温センサ３１から温度情報の通知を受けて、温度情報を取得し記憶する（ステップＳ１）。
【００２３】
つぎに、温度差比較部１７が、温度情報記憶部１６からリモコン温度センサ１２および外気温センサ３１の温度情報を読み出し、さらに、温度差閾値記憶部１８から閾値を読み出し、リモコン温度センサ１２の温度と外気温センサ３１の温度との温度差が、閾値以内かどうかを確認する（ステップＳ２）。
【００２４】
温度差が閾値以内の場合（ステップＳ２：Ｙｅｓ）、温度差比較部１７は、つぎに、閾値範囲時間記憶部１９から記憶されている範囲時間を読み出し、リモコン温度センサ１２の温度と外気温センサ３１の温度が連動していると判断できるか確認する（ステップＳ３）。
【００２５】
判断する方法としては、前記温度差が閾値以内の期間が連続して前記範囲時間に達したときに、連動していると判断するが、これに限定するものではない。例えば、１日の内で閾値以内の期間が合算して範囲時間に達したときに連動していると判断してもよい。
【００２６】
図５は、リモコン温度センサ１２の温度と外気温センサ３１の温度が連動している状態を示す図である。温度差が閾値（例えば３℃）以内の状態を範囲時間継続した場合に、温度差比較部１７は、リモコン温度センサ１２の温度と外気温センサ３１の温度が連動していると判断することができる。
【００２７】
連動していると判断できた場合（ステップＳ３：Ｙｅｓ）、温度差比較部１７は、その旨を室内温度センサ変更部１３へ通知する。連動していると判断できない場合（ステップＳ３：Ｎｏ）、ステップＳ１に戻って処理を継続する。連動していると判断できない場合とは、例えば、温度差が閾値（例えば３℃）以内の状態を継続しているが、まだ範囲時間に達しないときである。
【００２８】
連動していると判断できた場合（ステップＳ３：Ｙｅｓ）、室内温度センサ変更部１３は、室内温度センサとしてリモコン温度センサ１２を使用している場合（ステップＳ４：Ｙｅｓ）、空調対象温度センサ記憶部１４に記憶されている室内温度センサをリモコン温度センサ１２から室内機温度センサ２１に変更する（ステップＳ５）。その後、リモコン１では、ステップＳ１に戻って、上記処理を繰り返し実行する。なお、室内温度センサとしてリモコン温度センサ１２を使用していない場合（ステップＳ４：Ｎｏ）、すでに室内温度センサをリモコン温度センサ１２から室内機温度センサ２１に変更済みとして、その後、リモコン１では、ステップＳ１に戻って、上記処理を繰り返し実行する。
【００２９】
ここで、ステップＳ２において、温度差が閾値より大きい場合（ステップＳ２：Ｎｏ）、温度差比較部１７は、この時点でリモコン温度センサ１２の温度と外気温センサ３１の温度が連動していないと判断し、その旨を室内温度センサ変更部１３へ通知する。
【００３０】
そして、室内温度センサ変更部１３は、室内温度センサとしてリモコン温度センサ１２を使用していない場合（ステップＳ６：Ｎｏ）、すなわち室内機温度センサ２１を使用していた場合は、リモコン温度センサ１２の温度と外気温センサ３１の温度が連動していないことから、室内温度センサをリモコン温度センサ１２へ戻すように変更する（ステップＳ７）。なお、室内温度センサとしてリモコン温度センサ１２を使用していた場合（ステップＳ６：Ｙｅｓ）、室内温度センサ変更部１３が変更処理を行うことなく、リモコン１では、ステップＳ１に戻って、上記処理を繰り返し実行する。
【００３１】
なお、頻繁に室内温度センサを変更することを回避するため、温度差が閾値より大きいとき（ステップＳ２：Ｎｏ）が複数回連続した場合または所定の期間継続した場合に、室内温度センサをリモコン温度センサ１２に変更する（戻す）ようにしてもよい。
【００３２】
なお、室内温度センサ変更部１３は、空気調和機が運転中であれば、使用する温度センサを即時切り替え、空調運転を行うが、停止中であっても、使用する温度センサを即時切り替え、運転開始に備えることが可能である。
【００３３】
以上説明したように、本実施の形態では、リモコン１において、リモコン温度センサ１２の温度と外気温センサ３１の温度の温度差が閾値以内であって、閾値以内であった期間が規定された期間に達したときに、リモコン温度センサ１２の温度と外気温センサ３１の温度が連動していると判断することとした。これにより、高精度に外気温度の影響を把握することができ、室内の温度センサを即座に変更することができる。
【００３４】
実施の形態２．
本実施の形態では、実施の形態１と異なる方法で、リモコン温度センサ１２の温度と外気温センサ３１の温度が連動していると判断する。実施の形態１と異なる部分について説明する。
【００３５】
本実施の形態の空気調和機の構成は実施の形態１（図２参照）と同じである。ここでは、温度変化比較部１５が、リモコン温度センサ１２の温度と外気温センサ３１の温度が連動しているかどうかを判断する。図６は、空調対象の空間の温度センサを変更する動作を示すフローチャートである。
【００３６】
まず、リモコン１では、温度情報記憶部１６が、リモコン温度センサ１２および外気温センサ３１から温度情報の通知を受けて、温度情報を取得し記憶する（ステップＳ１）。
【００３７】
つぎに、温度変化比較部１５が、温度情報記憶部１６からリモコン温度センサ１２および外気温センサ３１の温度情報を読み出し、リモコン温度センサ１２の温度変化と外気温センサ３１の温度変化の傾向が一致しているかどうかを確認する（ステップＳ８）。
【００３８】
温度変化の傾向が一致しているかどうかの判断は、例えば、前回検知した温度と今回検知した温度からグラフにした場合の傾きを求め、傾きが同じ方向（プラスまたはマイナス）のときに傾向が一致していると判断する方法があるが、これに限定するものではない。
【００３９】
傾向が一致している場合（ステップＳ８：Ｙｅｓ）、温度変化比較部１５は、つぎに、リモコン温度センサ１２の温度と外気温センサ３１の温度が連動していると判断できるか確認する（ステップＳ９）。
【００４０】
判断する方法としては、傾向が一致している期間が所定の期間継続している場合に、連動していると判断するが、これに限定するものではない。
【００４１】
図７は、リモコン温度センサ１２の温度と外気温センサ３１の温度が連動している状態を示す図である。温度変化の傾向が一致している期間が所定の期間継続した場合に、温度変化比較部１５は、リモコン温度センサ１２の温度と外気温センサ３１の温度が連動していると判断することができる。
【００４２】
連動していると判断できた場合（ステップＳ９：Ｙｅｓ）、温度変化比較部１５は、その旨を室内温度センサ変更部１３へ通知する。連動していると判断できない場合（ステップＳ９：Ｎｏ）、ステップＳ１に戻って処理を継続する。連動していると判断できない場合とは、例えば、温度変化の傾向が一致しているが所定の期間に達しないときである。以降の処理は実施の形態１と同じである。
【００４３】
なお、ステップＳ８において、傾向が一致していない場合（ステップＳ８：Ｎｏ）、温度変化比較部１５は、この時点でリモコン温度センサ１２の温度と外気温センサ３１の温度が連動していないと判断し、その旨を室内温度センサ変更部１３へ通知する。以降の処理は実施の形態１と同じである。
【００４４】
なお、図６のフローチャートでは、ステップＳ８とステップＳ９を別々に行っているが、これに限定するものではなく、ステップＳ９の処理とステップＳ８の処理を同時に行うようにしてもよい。
【００４５】
以上説明したように、本実施の形態では、リモコン１において、リモコン温度センサ１２の温度変化と外気温センサ３１の温度変化の傾向が所定の期間一致したときに、リモコン温度センサ１２の温度と外気温センサ３１の温度が連動していると判断することとした。これにより、実施の形態１と同様、高精度に外気温度の影響を把握することができ、室内の温度センサを即座に変更することができる。
【符号の説明】
【００４６】
１  リモコン
１１  操作部
１２  リモコン温度センサ
１３  室内温度センサ変更部
１４  空調対象温度センサ記憶部
１５  温度変化比較部
１６  温度情報記憶部
１７  温度差比較部
１８  温度差閾値記憶部
１９  閾値範囲時間記憶部
２  室内機
２１  室内機温度センサ
３  室外機
３１  外気温センサ
【図１】
0005575014.tif 000002
【図２】
0005575014.tif 000003
【図３】
0005575014.tif 000004
【図４】
0005575014.tif 000005
【図５】
0005575014.tif 000006
【図６】
0005575014.tif 000007
【図７】
0005575014.tif 000008